(57)【要約】【課題】大型化及び強度低下を抑えつつ、嵌合及び離脱作業時における取り扱い性が高められたコネクタを提供すること。【解決手段】オスハウジング７０に対して嵌合されるメスハウジング２０を備えたコネクタ１０であって、メスハウジング２０は、外側に露出する外周面の一部に、他の部分よりも表面粗さが大きくされた高摩擦面ＨＦを備える。【選択図】図１
2020173910.tif 000002
【特許請求の範囲】
【請求項１】
相手側ハウジングに対して嵌合されるハウジングを備えたコネクタであって、
前記ハウジングは、外側に露出する外周面の一部に、他の部分よりも表面粗さが大きくされた高摩擦面を備える
ことを特徴とするコネクタ。
【請求項２】
前記高摩擦面は、前記ハウジングにおける両側面にそれぞれ設けられている
ことを特徴とする請求項１に記載のコネクタ。
【請求項３】
前記ハウジングは、外周の一部に、前記相手側ハウジングに形成された突起部を係止してロックするロックアームを備え、
前記高摩擦面は、前記ハウジングにおける前記ロックアームと反対側の位置に設けられている
ことを特徴とする請求項１または請求項２に記載のコネクタ。
【請求項４】
前記高摩擦面が、前記ロックアームに設けられている
ことを特徴とする請求項３に記載のコネクタ。
【発明の詳細な説明】
【技術分野】
【０００１】
本発明は、コネクタに関する。
【背景技術】
【０００２】
ハウジングの外周面やロックアームの操作部に、相手側コネクタに対する嵌合方向と直交する方向に延在する複数の凸部を形成した滑り止めを設け、相手側コネクタに対する嵌合及び離脱作業時における取扱い性を高めたコネクタが知られている（例えば、特許文献１，２参照）。
【先行技術文献】
【特許文献】
【０００３】
【特許文献１】特開２０１４−１５３５１１号公報
【特許文献２】特開２０１６−１１０７３５号公報
【発明の概要】
【発明が解決しようとする課題】
【０００４】
しかし、上記のコネクタでは、ハウジングに複数の凸部を形成しているため、ハウジングの外形が大きくなり、大型化を招いてしまう。また、滑り止めのために複数の凸部に代えて複数の凹部を形成した場合、ハウジングの肉厚が薄くなり、強度低下を招くおそれがある。
【０００５】
本発明は、上述した事情に鑑みてなされたものであり、その目的は、大型化及び強度低下を抑えつつ、嵌合及び離脱作業時における取り扱い性が高められたコネクタを提供することにある。
【課題を解決するための手段】
【０００６】
前述した目的を達成するために、本発明に係るコネクタは、下記（１）〜（４）を特徴としている。
（１）  相手側ハウジングに対して嵌合されるハウジングを備えたコネクタであって、
前記ハウジングは、外側に露出する外周面の一部に、他の部分よりも表面粗さが大きくされた高摩擦面を備える
ことを特徴とするコネクタ。
（２）  前記高摩擦面は、前記ハウジングにおける両側面にそれぞれ設けられている
ことを特徴とする（１）に記載のコネクタ。
（３）  前記ハウジングは、外周の一部に、前記相手側ハウジングに形成された突起部を係止してロックするロックアームを備え、
前記高摩擦面は、前記ハウジングにおける前記ロックアームと反対側の位置に設けられている
ことを特徴とする（１）または（２）に記載のコネクタ。
（４）  前記高摩擦面が、前記ロックアームに設けられている
ことを特徴とする（３）に記載のコネクタ。
【０００７】
上記（１）の構成のコネクタによれば、相手側ハウジングに対してハウジングを嵌合及び離脱させる際に、ハウジングを把持する指を高摩擦面に接触させることで、ハウジングに対する指の滑りを抑えることができる。また、滑り止めのために複数の突起や凹みを形成して凹凸形状としたものと比べ、外形の大型化や薄肉化による強度低下を抑えつつ、相手側ハウジングに対するハウジングの嵌合及び離脱作業を円滑に行うことができる。
上記（２）の構成のコネクタによれば、作業者は、ハウジングを両側から指で把持することで、指を滑らせることなく相手側ハウジングに対してハウジングを嵌合及び離脱させることができる。
上記（３）の構成のコネクタによれば、作業者は、ロックアームとハウジングにおけるロックアームの反対側の高摩擦面とを指で把持することで、ロックアームを操作しつつ指を滑らせることなく相手側ハウジングに対してハウジングを嵌合及び離脱させることができる。
上記（４）の構成のコネクタによれば、作業者は、ロックアームの高摩擦面とハウジングにおけるロックアームの反対側の高摩擦面とを指で把持することで、より円滑にロックアームを操作しつつ指を滑らせることなく相手側ハウジングに対してハウジングを嵌合及び離脱させることができる。
【発明の効果】
【０００８】
本発明によれば、大型化及び強度低下を抑えつつ、嵌合及び離脱作業時における取り扱い性が高められたコネクタを提供できる。
【０００９】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１０】
【図１】図１は、本実施形態に係るコネクタを示すオスハウジング及びメスハウジングの斜視図である。
【図２】図２は、メスハウジングの分解斜視図である。
【図３】図３は、メスハウジングの縦方向に沿う断面図である。
【図４】図４は、メスハウジングの側面図である。
【図５】図５は、変形例に係るメスハウジングの斜視図である。
【図６】図６は、変形例を示す図であって、図６（ａ）はメスハウジングの平面図、図６（ｂ）はメスハウジングの裏面図である。
【図７】図７は、他の変形例に係るメスハウジングの斜視図である。
【発明を実施するための形態】
【００１１】
以下、本発明に係る実施の形態の例を、図面を参照して説明する。
図１は、本実施形態に係るコネクタを示すオスハウジング及びメスハウジングの斜視図である。
図１に示すように、本実施形態の係るコネクタ１０は、オスハウジング（相手側ハウジング）７０に嵌合されるメスハウジング（ハウジング）２０を備えている。
【００１２】
オスハウジング７０は接続部７０ａを有し、メスハウジング２０はフード部２０ａを有しており、オスハウジング７０の接続部７０ａとメスハウジング２０のフード部２０ａとを嵌合させることで互いに接合される。
【００１３】
オスハウジング７０は、合成樹脂から成形されたもので、筒状の接続部７０ａを有している。このオスハウジング７０には、複数のオス端子（図示略）が設けられており、これらのオス端子は、接続部７０ａ内に配置されている。
【００１４】
オスハウジング７０は、接続部７０ａの上部に、一対のガイド突条７１と、突起部７２とを有している。ガイド突条７１は、メスハウジング２０との嵌合方向（以下、単に嵌合方向と呼ぶ）に沿って間隔をあけて形成されている。突起部７２は、一対のガイド突条７１の間である接続部７０ａの上部における幅方向中央位置に形成されている。突起部７２は、接続部７０ａの上面から突設されており、嵌合方向の前方側には、オスハウジング７０の後端側へ向かって次第に上方へ傾斜したガイド面７３が形成されている。
【００１５】
図２は、メスハウジングの分解斜視図である。図３は、メスハウジングの縦方向に沿う断面図である。
図２及び図３に示すように、メスハウジング２０は、筒状に形成されたフード部２０ａを有するハウジング本体２１を備えており、ハウジング本体２１の内部には、嵌合部２２が突設されている。メスハウジング２０は、合成樹脂から成形されたもので、嵌合部２２には、複数の端子収容室２３が形成されている。これらの端子収容室２３には、電線２４の端部に接続されたメス端子２５がそれぞれ収容されており、電線２４は、ハウジング本体２１の後端から引き出されている。端子収容室２３には、電線２４に装着されたシール部材２６がハウジング本体２１の後端側から嵌め込まれている。これにより、メス端子２５が収容されたハウジング本体２１の端子収容室２３が止水されている。
【００１６】
メス端子２５は、例えば、銅または銅合金等の導電性金属材料から形成されたもので、電線２４に圧着されて接続されている。このメス端子２５は、筒状に形成された電気接続部２７を有している。
【００１７】
メスハウジング２０の嵌合部２２には、先端側からオスハウジング７０との接合箇所をシールする環状のシール部材２８が装着されている。さらに、この嵌合部２２には、合成樹脂から成形されたフロントホルダー２９が組付けられている。そして、このフロントホルダー２９が嵌合部２２に組付けられることで、端子収容室２３へ収容されたメス端子２５の前方への移動が規制され、また、シール部材２８が嵌合部２２に保持される。
【００１８】
メスハウジング２０のハウジング本体２１は、底板部５１と、この底板部５１の両側縁に連設された側板部５２とを有しており、その上部には、ロック機構部３０が設けられている。これにより、ハウジング本体２１は、底板部５１、側板部５２及びロック機構部３０によって、前方側が開口された箱型に形成されている。
【００１９】
ロック機構部３０は、ロックアーム３１を有している。ロックアーム３１は、一対の支持アーム３２と、揺動アーム３３とを有している。支持アーム３２は、ハウジング本体２１に連設されて嵌合方向の前方側へ延在された片持ち支持梁状に形成されている。支持アーム３２は、互いに間隔をあけて並列に配置されている。揺動アーム３３は、一対の支持アーム３２の間に設けられている。この揺動アーム３３は、嵌合方向の前方側の端部がそれぞれの支持アーム３２に連設されて嵌合方向の後方側へ延在されている。揺動アーム３３は、支持アーム３２との連設側と反対側の後端部に、操作部３４を有している。操作部３４は、それぞれ側方へ張り出す張出部３５を有している。揺動アーム３３の操作部３４には、滑り止めのために、嵌合方向に直交する方向へ延在する係止溝３４ａが形成されている。支持アーム３２と揺動アーム３３とが連設されたロックアーム３１の前端には、ハウジング本体２１側へ突出するロック爪３６が形成されている。ロックアーム３１は、支持アーム３２が弾性変形することで、揺動アーム３３が揺動される。
【００２０】
また、ロック機構部３０は、一対の保護壁４１を有している。これらの保護壁４１は、ロックアーム３１の両側部に立設されている。これにより、ロックアーム３１は、その両側が保護壁４１によって囲われて保護されている。保護壁４１の嵌合方向の前方側には、梁部４２が設けられている。この梁部４２は、両端が保護壁４１に連設されており、ハウジング本体２１に対して隙間をあけて配置されている。
【００２１】
図４は、メスハウジングの側面図である。
図４に示すように、メスハウジング２０は、ハウジング本体２１の両側板部５２に、高摩擦面ＨＦを有している。高摩擦面ＨＦは、それぞれ側板部５２の外面である側面における高さ方向の略中央位置において、嵌合方向に沿って形成されている。
【００２２】
この高摩擦面ＨＦは、メスハウジング２０の外周面における高摩擦面ＨＦ以外の部分よりも表面粗さが大きくされている。例えば、メスハウジング２０の外周面における高摩擦面ＨＦ以外の部分の表面粗さ（算術平均粗さ）がＲａ５０未満であるのに対して、高摩擦面ＨＦにおける表面粗さ（算術平均粗さ）はＲａ１００以上とされている。そして、この高摩擦面ＨＦでは、メスハウジング２０の外周面における高摩擦面ＨＦ以外の部分よりも高い静止摩擦係数を有している。また、この高摩擦面ＨＦでは、面方向のあらゆる方向への静止摩擦係数が高くされている。
【００２３】
この高摩擦面ＨＦは、例えば、メスハウジング２０における高摩擦面ＨＦの形成予定箇所に対して、ブラスト処理、レーザー照射、鑢掛け等を行うことで形成することが可能である。また、高摩擦面ＨＦの形成予定箇所に表面を粗くする塗料を塗布したり、高摩擦面を有する粘着テープを貼り付けてもよい。また、高摩擦面ＨＦを成形する面にブラスト処理等を施した金型によってメスハウジング２０を成形することで、メスハウジング２０に高摩擦面ＨＦを形成してもよい。
【００２４】
次に、オスハウジング７０にコネクタ１０のメスハウジング２０を嵌合させる嵌合作業について説明する。
【００２５】
オスハウジング７０の接続部７０ａにメスハウジング２０のフード部２０ａを近接させて嵌合部２２を嵌め込む。すると、オスハウジング７０のガイド突条７１によってロック機構部３０が案内され、メスハウジング２０のロックアーム３１のロック爪３６がオスハウジング７０の突起部７２のガイド面７３に接触する。
【００２６】
オスハウジング７０に対してメスハウジング２０を押し込むと、突起部７２のガイド面７３に接触していたロックアーム３１のロック爪３６がガイド面７３に沿って摺動して乗り上げ始め、ロックアーム３１の支持アーム３２が弾性変形される。これにより、ロックアーム３１の揺動アーム３３は、ロック爪３６を有する前端側がハウジング本体２１から離間する方向へ変位されることで揺動する。
【００２７】
オスハウジング７０に対してメスハウジング２０をさらに押し込むことで、ロック爪３６が突起部７２の嵌合方向の前方側へ達する。このとき、弾性変形していた支持アーム３２が復元して揺動アーム３３が逆方向へ揺動し、ロック爪３６が突起部７２の嵌合方向の前方側に入り込んで係止する。これにより、オスハウジング７０に対してメスハウジング２０が嵌合された状態でロックされる。
【００２８】
この嵌合状態において、メスハウジング２０の嵌合部２２に装着されたシール部材２８にオスハウジング７０の接続部７０ａが密着し、オスハウジング７０とメスハウジング２０との接合箇所が確実にシールされる。そして、この嵌合状態では、メス端子２５の電気接続部２７にオス端子が挿入され、メス端子２５とオス端子とが電気的に接続される。
【００２９】
上記の嵌合作業において、作業者は、メスハウジング２０のハウジング本体２１における両側板部５２を指で把持してオスハウジング７０へ押し込む。このとき、側板部５２には、表面粗さが大きい高摩擦面ＨＦが設けられているので、作業者は、側板部５２に対して指を滑らせることなくメスハウジング２０をオスハウジング７０へ押し込むことができる。
【００３０】
次に、オスハウジング７０からメスハウジング２０を離脱させる離脱作業について説明する。
【００３１】
オスハウジング７０からメスハウジング２０を離脱させるには、メスハウジング２０のロックアーム３１における揺動アーム３３の後端の操作部３４をハウジング本体２１側へ押下する。
【００３２】
すると、揺動アーム３３が揺動され、ロックアーム３１の前端側がハウジング本体２１から離間する方向へ変位する。これにより、ロック爪３６がハウジング本体２１から離間されてロック爪３６への係止状態が解除され、オスハウジング７０に対するメスハウジング２０のロック状態が解除される。
【００３３】
この状態において、オスハウジング７０に対してメスハウジング２０を引き離す方向へ移動させる。これにより、メスハウジング２０がオスハウジング７０から離脱され、メス端子２５とオス端子との電気的な接続状態が解除される。
【００３４】
上記の離脱作業において、作業者は、ロックアーム３１によるオスハウジング７０に対するメスハウジング２０のロックを解除させた後に、メスハウジング２０のハウジング本体２１における両側板部５２を指で把持してオスハウジング７０から引き離す。このとき、側板部５２には、表面粗さが大きい高摩擦面ＨＦが設けられているので、作業者は、側板部５２に対して指を滑らせることなくメスハウジング２０をオスハウジング７０から引き離すことができる。
【００３５】
以上、説明したように、本実施形態に係るコネクタ１０によれば、オスハウジング７０に対してメスハウジング２０を嵌合及び離脱させる際に、メスハウジング２０を把持する指を高摩擦面ＨＦに接触させることで、メスハウジング２０に対する指の滑りを抑えることができる。また、滑り止めのために複数の突起や凹みを形成して凹凸形状としたものと比べ、外形の大型化や薄肉化による強度低下を抑えつつ、オスハウジング７０に対するメスハウジング２０の嵌合及び離脱作業を円滑に行うことができる。
【００３６】
特に、高摩擦面ＨＦが、メスハウジング２０のハウジング本体２１の両側板部５２の外面である両側面にそれぞれ設けられている。したがって、作業者は、メスハウジング２０を両側から指で把持することで、指を滑らせることなくオスハウジング７０に対してメスハウジング２０を嵌合及び離脱させることができる。
【００３７】
次に、変形例について説明する。
図５は、変形例に係るメスハウジングの斜視図である。図６は、変形例を示す図であって、図６（ａ）はメスハウジングの平面図、図６（ｂ）はメスハウジングの裏面図である。
図５に示すように、変形例に係るコネクタ１０では、ハウジング本体２１の底板部５１及びロック機構部３０に高摩擦面ＨＦが設けられている。
【００３８】
図６（ａ）に示すように、ロック機構部３０の高摩擦面ＨＦは、ロックアーム３１の揺動アーム３３の操作部３４における上面側に幅方向へわたって設けられている。図６（ｂ）に示すように、底板部５１の高摩擦面ＨＦは、底板部５１における後端寄りに幅方向へわたって設けられている。
【００３９】
この変形例では、ロックアーム３１の揺動アーム３３を揺動させてロックを解除させる際に、作業者は、指を滑らせることなく、操作部３４とハウジング本体２１の下部とを把持することができる。また、ロック解除後においても、作業者は、操作部３４及びハウジング本体２１の下部に対して指を滑らせることなくメスハウジング２０をオスハウジング７０から引き離すことができる。
【００４０】
なお、図７に示すように、変形例において、底板部５１だけに高摩擦面ＨＦを設け、ロックアーム３１の操作部３４は、係止溝３４ａを有するものでもよい。この場合も、作業者は、指を滑らせることなく、操作部３４とハウジング本体２１の下部とを把持することができ、また、操作部３４及びハウジング本体２１の下部に対して指を滑らせることなくメスハウジング２０をオスハウジング７０から引き離すことができる。
【００４１】
また、両側板部５２に高摩擦面ＨＦを設けるとともに、底板部５１及びロックアーム３１の操作部３４に高摩擦面ＨＦを設けてもよい。このようにすれば、作業者は、嵌合作業において、側板部５２に対して指を滑らせることなくメスハウジング２０をオスハウジング７０へ押し込むことができる。また、離脱作業におけるオスハウジング７０に対するロック解除時及び引き離し時に、操作部３４及びハウジング本体２１の下部に対して指を滑らせることなく作業することができる。
【００４２】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４３】
ここで、上述した本発明に係るコネクタの実施形態の特徴をそれぞれ以下［１］〜［４］に簡潔に纏めて列記する。
［１］  相手側ハウジング（オスハウジング７０）に対して嵌合されるハウジング（メスハウジング２０）を備えたコネクタ（１０）であって、
前記ハウジング（メスハウジング２０）は、外側に露出する外周面の一部に、他の部分よりも表面粗さが大きくされた高摩擦面（ＨＦ）を備える
ことを特徴とするコネクタ。
［２］  前記高摩擦面（ＨＦ）は、前記ハウジング（メスハウジング２０）における両側面にそれぞれ設けられている
ことを特徴とする［１］に記載のコネクタ。
［３］  前記ハウジング（メスハウジング２０）は、外周の一部に、前記相手側ハウジング（オスハウジング７０）に形成された突起部（７２）を係止してロックするロックアーム（３１）を備え、
前記高摩擦面（ＨＦ）は、前記ハウジング（メスハウジング２０）における前記ロックアーム（３１）と反対側の位置に設けられている
ことを特徴とする［１］または［２］に記載のコネクタ。
［４］  前記高摩擦面（ＨＦ）が、前記ロックアーム（３１）に設けられている
ことを特徴とする［３］に記載のコネクタ。
【符号の説明】
【００４４】
１０：コネクタ
２０：メスハウジング（ハウジング）
３１：ロックアーム
７０：オスハウジング（相手側ハウジング）
７２：突起部
ＨＦ：高摩擦面
【図１】
2020173910.tif 000003
【図２】
2020173910.tif 000004
【図３】
2020173910.tif 000005
【図４】
2020173910.tif 000006
【図５】
2020173910.tif 000007
【図６】
2020173910.tif 000008
【図７】
2020173910.tif 000009